(57)【特許請求の範囲】
【請求項１】
リール本体の側板間に回転自在に支持されたスプールに上記側板に回転自在に支持されたハンドルからの回転駆動力を伝達する巻取り状態とスプールに対するハンドルからの回転駆動力の伝達を遮断するスプールフリー状態との間で切り換え可能なクラッチ機構を備えており、クラッチ機構の操作部材がリール本体にスプール巻取り操作位置とスプールフリー操作位置との間で変位自在に支持されている魚釣用リールにおいて、
上記側板に回転自在に支持されて上記ハンドルに連結されており出力歯車を有したハンドル軸と、上記側板に回転自在に支持されハンドル軸の出力歯車に噛合しクラッチ機構を介してスプールに連結され同心的に回転自在で長手方向に摺動自在な入力歯車を有している支持軸と、の間で側板の上部にクラッチ機構の操作部材である操作レバーの上端部の操作釦が配置されており、操作レバーは上記支持軸の回りに回動自在に支持されているクラッチ駆動部材の回動方向にスプール巻取り操作位置とスプールフリー操作位置との間で移動してクラッチ駆動部材を回動させる、ことを特徴とする魚釣用リール。
【発明の詳細な説明】
【０００１】
【発明の属する技術分野】
この発明は魚釣用リールに関係しており、特に、リール本体の側板間に回転自在に支持されたスプールに上記側板に回転自在に支持されたハンドルからの回転駆動力を伝達する巻取り状態とスプールに対するハンドルからの回転駆動力の伝達を遮断するスプールフリー状態との間で切り換え可能なクラッチ機構を備えており、クラッチ機構の操作部材がリール本体にスプール巻取り操作位置とスプールフリー操作位置との間で変位自在に支持されている魚釣用リールに関係している。
【０００２】
【従来の技術】
この種の魚釣用リールは例えば特開平７−４６９５４号公報及び実公平６−４７２６８号公報から既に知られている。特開平７−４６９５４号公報及び実公平６−４７２６８号公報はまた、スプールフリー状態にあるクラッチ機構をハンドル軸への回転駆動力の入力により巻取り状態へと切り換えるクラッチ復帰機構を開示している。
【０００３】
【発明が解決しようとする課題】
これら従来の魚釣用リールでは、側板に回転自在に支持されてハンドルに連結されており出力歯車を有したハンドル軸と、上記側板に回転自在に支持されハンドル軸の出力歯車に噛合しクラッチ機構を介してスプールに連結されている入力歯車を有した支持軸と、の間の領域以外で側板の上部にクラッチ機構の操作部材が配置されている。この為にリール本体の外形寸法がリール本体からの釣糸の導出方向に沿った前後方向に長くなっており、これら従来の魚釣用リールを取り付けた釣竿を操作する際に従来の魚釣用リールが生じさせる慣性力が釣竿の操作性を損なっている。
【０００４】
この発明は上記事情に基づいてなされ、この発明の目的は、リール本体からの釣糸の導出方向に沿った前後方向におけるリール本体の外形寸法を上述した従来の魚釣用リールに比べ小さくすることが出来、この為にこの発明の魚釣用リールを取り付けた釣竿を操作する際にこの発明の魚釣用リールが生じさせる慣性力を上述した従来の魚釣用リールを取り付けた釣竿を操作する際に従来の魚釣用リールが生じさせる慣性力に比べ小さくすることが出来て、この発明の魚釣用リールを取り付けた釣竿の操作性を上述した従来の魚釣用リールを取り付けた釣竿に比べ良くすることが出来る、魚釣用リールを提供することである。
【０００５】
【課題を解決するための手段】
上述したこの発明の目的を達成する為に、この発明に従った魚釣用リールは、リール本体の側板間に回転自在に支持されたスプールに上記側板に回転自在に支持されたハンドルからの回転駆動力を伝達する巻取り状態とスプールに対するハンドルからの回転駆動力の伝達を遮断するスプールフリー状態との間で切り換え可能なクラッチ機構を備えており、クラッチ機構の操作部材がリール本体にスプール巻取り操作位置とスプールフリー操作位置との間で変位自在に支持されている魚釣用リールにおいて、上記側板に回転自在に支持されて上記ハンドルに連結されており出力歯車を有したハンドル軸と、上記側板に回転自在に支持されハンドル軸の出力歯車に噛合しクラッチ機構を介してスプールに連結され同心的に回転自在で長手方向に摺動自在な入力歯車を有している支持軸と、の間で側板の上部にクラッチ機構の操作部材である操作レバーの上端部の操作釦が配置されており、操作レバーは上記支持軸の回りに回動自在に支持されているクラッチ駆動部材の回動方向にスプール巻取り操作位置とスプールフリー操作位置との間で移動してクラッチ駆動部材を回動させる。
【０００６】
上述した如く構成されたことを特徴とする魚釣用リールにおいては、上記側板に回転自在に支持されて上記ハンドルに連結されており出力歯車を有したハンドル軸と、上記側板に回転自在に支持されハンドル軸の出力歯車に噛合しクラッチ機構を介してスプールに連結され同心的に回転自在で長手方向に摺動自在な入力歯車を有している支持軸と、の間で側板の上部にクラッチ機構の操作部材である操作レバーの上端部の操作釦が配置されており、操作レバーは上記支持軸の回りに回動自在に支持されているクラッチ駆動部材の回動方向にスプール巻取り操作位置とスプールフリー操作位置との間で移動してクラッチ駆動部材を回動させるので、リール本体からの釣糸の導出方向に沿った前後方向におけるリール本体の外形寸法を上述した従来の魚釣用リールに比べ小さくすることが出来、この為にこの発明の魚釣用リールを取り付けた釣竿を操作する際にこの発明の魚釣用リールが生じさせる慣性力を上述した従来の魚釣用リールを取り付けた釣竿を操作する際に従来の魚釣用リールが生じさせる慣性力に比べ小さくすることが出来て、この発明の魚釣用リールを取り付けた釣竿の操作性を上述した従来の魚釣用リールを取り付けた釣竿に比べ良くすることが出来る。
【０００７】
上述した如く構成されたことを特徴とする魚釣用リールは、スプールフリー状態にあるクラッチ機構をハンドル軸への回転駆動力の入力により巻取り状態へと切り換えるクラッチ復帰機構を備えていることが出来る。
【０００８】
クラッチ復帰機構は、ハンドル軸の出力歯車とともにハンドル軸の周囲をハンドル軸に対して同心的に回転する係合突起と、クラッチ機構の巻取り状態からスプールフリー状態への変化に伴い上記係合突起の移動軌跡内から離脱した非係合位置から上記係合突起の移動軌跡内に侵入した係合位置へと移動し係合位置に配置されている間にハンドルからハンドル軸に回転駆動力が入力されてハンドル軸が所定の方向に回動すると上記係合突起に押圧されて係合位置から非係合位置へと移動するとともにクラッチ機構をスプールフリー状態から巻取り状態へと変化させるクラッチ復帰部材と、を備えていることが出来る。
【０００９】
ここにおいて係合突起はハンドル軸または出力歯車に同心的に連結されハンドル軸または出力歯車ととともに回転する爪車の有している爪により構成することが出来るし、またハンドル軸または出力歯車に同心的に連結されハンドル軸または出力歯車ととともに回転する回転駆動部材の側面においてハンドル軸または出力歯車に対する同心円上に固定された固定突起により構成することが出来るし、あるいは出力歯車の側面において出力歯車に対する同心円上に固定された固定突起により構成することが出来る。
【００１０】
クラッチ復帰部材はクラッチ機構とは独立して形成されていることが出来、この場合にはハンドル軸と支持軸との間で側板の上部または下部に配置されることが出来る。
【００１１】
このように独立していて上述した如く配置されているクラッチ復帰部材を備えたクラッチ復帰機構は、リール本体からの釣糸の導出方向に沿った前後方向におけるリール本体の外形寸法を上述した従来の魚釣用リールに比べさらに小さくすることを容易にする。
【００１２】
入力歯車を支持軸の長手方向中心線に沿いスプールに連結した連結位置とスプールとの連結が解除された連結解除位置との間で移動自在とした場合、クラッチ機構は、入力歯車に連結されて入力歯車の回転を許容するとともに入力歯車の連結位置と連結解除位置との間の移動に追従し入力歯車を連結位置に付勢しているクラッチ板と、支持軸の回りに回動自在に支持され操作部材のスプール巻取り操作位置からスプールフリー操作位置への変位により支持軸の回りに一方向に回動してクラッチ板を押圧しクラッチ板により入力歯車を連結位置から連結解除位置へと移動させるとともに操作部材のスプールフリー操作位置からスプール巻取り操作位置への変位により支持軸の回りに他方向に回動してクラッチ板の押圧を解除しクラッチ板により入力歯車を連結解除位置から連結位置へと移動させるクラッチ駆動部材と、を備えるよう構成することが出来る。
【００１３】
入力歯車及びクラッチ機構がこのように構成されている場合、クラッチ復帰機構のクラッチ復帰部材をクラッチ駆動部材に連結しクラッチ駆動部材の上記一方向への回動によりクラッチ復帰部材を非係合位置から係合位置へと移動させるようにすることが出来る。
【００１４】
入力歯車及びクラッチ機構が上述した如く構成されている場合、クラッチ復帰機構のクラッチ復帰部材を、クラッチ駆動部材からクラッチ復帰機構の係合突起の移動軌跡に向かい突出して形成された被係合突起により構成することも出来る。
【００１５】
【発明の実施の形態】
以下、この発明の種々の実施の形態を添付の図面を参照しながら詳細に説明する。
【００１６】
まず最初は図１及び図２を参照しながら、この発明の第１の実施の形態に従った魚釣用リールを詳細に説明する。なお、図１はこの発明の第１の実施の形態に従った魚釣用リールを一部を切り欠いて示す平面図であり、図２は図１の魚釣用リールの左側板の外側面に配置されたクラッチ機構及びクラッチ復帰機構を含む種々の構成部材を左側板の外側面の覆いを取り除いて示す左側面図である。
【００１７】
図１に示す如くこの発明の第１の実施の形態に従った魚釣用リールは、スプール１０のスプール軸１０ａの両端部を回転自在に支持した左右１対の側板１２ａ，１２ｂを有したリール本体１４を備えている。
【００１８】
図１において参照符号Ｓはスプール１０からの釣糸の導出方向を示している。
右側の側板１２ａの外側面と左側の側板１２ｂの外側面を覆う覆い１６とには、スプール軸１０ａからは独立しているがスプール軸１０ａと同心的に配置された支持軸１８の両端部が回転自在に支持されているとともに、左側の側板１２ｂの外側面において支持軸１８から釣糸の導出方向Ｓとは逆の方向、即ち後方、に離間した位置には覆い１６の外側でハンドル１９に連結されたハンドル軸２０の両端部が回転自在に支持されている。
【００１９】
左側の側板１２ｂの外側面と覆い１６との間でハンドル軸２０には出力歯車２２がハンドル軸２０に同心的に固定されている。左側の側板１２ｂの外側面と覆い１６との間で支持軸１８には入力歯車２４が支持軸１８に同心的に回転自在に支持されていて、入力歯車２４は支持軸１８の長手方向中心線に沿い所定の範囲内で摺動自在である。入力歯車２４はハンドル軸２０の出力歯車２２に噛み合っていて、上記所定の範囲内の摺動中にも常に出力歯車２２に噛み合うような幅を有している。
【００２０】
スプール軸１０ａの近傍に位置する支持軸１８の内端部の周囲には、入力歯車２４を選択的にスプール１０に連結するクラッチ機構２６が配置されている。即ち、クラッチ機構２６はハンドル１９からハンドル軸２０に入力されハンドル軸２０から出力歯車２２を介して入力歯車２４に伝達されて来た回転駆動力を入力歯車２４からスプール１０に伝達する巻取り状態と入力歯車２４からスプール１０への上記回転駆動力の伝達を遮断するスプールフリー状態との間で切り換え可能である。
【００２１】
図２にはクラッチ機構２６の構成が詳しく示されている。クラッチ機構２６は左側の側板１２ｂの外側面において支持軸１８の回りに回動自在に支持されているクラッチ駆動部材２８を備えている。クラッチ駆動部材２８はハンドル軸２０とともに、左側の側板１２ｂの外側面に例えばねじの如き公知の着脱自在固定手段３０ａにより着脱自在に固定された押さえ板３０により上記外側面に回転自在に保持されている。
【００２２】
クラッチ駆動部材２８の上端部からはクラッチ機構２６の操作部材である操作レバー３２が上方に向かい延出していて、覆い１６の上縁に左側の側板１２ｂの外側面の上縁に沿い形成されている図示されていない細長溝を介して左側の側板１２ｂの外側面の上縁から上方に突出しており、操作レバー３２の上端部の操作釦３２ａを左側の側板１２ｂと覆い１６とで囲まれた格納空間から露出させている。即ち、操作レバー３２は支持軸１８とハンドル軸２０との間で左側の側板１２ｂの上部に配置されている。
【００２３】
クラッチ駆動部材２８と左側の側板１２ｂの外側面との間には振り分けばね３４が介在されている。図２から明かなように、この実施の形態において振り分けばね３４はねじりコイルばねにより構成されている。振り分けばね３４はクラッチ駆動部材２８を操作レバー３２の操作釦３２ａが図２に実線で示した位置に配置されるスプール巻取り操作位置か操作釦３２ａが図２に２点鎖線で示した位置に配置されるスプールフリー操作位置のいずれかに選択的に付勢している。
【００２４】
クラッチ機構２６はさらに、左側の側板１２ｂの外側面と覆い１６との間でクラッチ駆動部材２８よりも外方の位置において入力歯車２４の外周面に形成されている環状溝に対して図１に示す如く支持軸１８の長手方向中心線に沿った方向に係合したクラッチ板３６を備えている。
【００２５】
クラッチ板３６は、図２に示す如く、入力歯車２４を中心にして左側の側板１２ｂの外側面に沿い略上下方向に細長く延出しており、左側の側板１２ｂの外側面においてクラッチ板３６の上端部と下端部に対応した２つの位置から支持軸１８の延出方向に沿い支持軸１８の長手方向中心線に対して平行に突出して固定されている１対のクラッチ板案内軸３８に対してクラッチ板３６の上端部と下端部が１対のクラッチ板案内軸３８の延出方向に摺動自在に支持されている。
【００２６】
クラッチ板３６の上端部と下端部はまた、図示しない付勢手段により左側の側板１２ｂの外側面に接近する方向に付勢されている。なおこの実施の形態では、上記付勢手段は覆い１６の内側面とクラッチ板３６との間で１対のクラッチ板案内軸３８の夫々に巻装されている図示されていない圧縮コイルばねにより構成されている。
【００２７】
上記付勢手段により上述した如く付勢されているクラッチ板３６は支持軸１８上で入力歯車２４の内端部をスプール１０に接近させスプール１０に連結させた連結位置に配置されている。
【００２８】
クラッチ駆動部材２８においてクラッチ板３６の上方延出部分と下方延出部分に対応する２つの位置には、クラッチ板３６の上方延出部分と下方延出部分の夫々において支持軸１８の回りの反時計回り方向を向いている縁（以下、反時計回り方向縁という）と支持軸１８の回りの時計回り方向において対向している傾斜面２８ａが設置されている。
【００２９】
そして、クラッチ駆動部材２８の操作レバー３２の操作釦３２ａが図２に実線で示したスプール巻取り操作位置に配置されていると、クラッチ駆動部材２８の２つの傾斜面２８ａはクラッチ板３６の上方延出部分と下方延出部の夫々の反時計回り方向縁から支持軸１８の回りの反時計回り方向に離間していて、上記付勢手段によるクラッチ板３６を介しての入力歯車２４の連結位置への配置を許容している。
【００３０】
またクラッチ駆動部材２８の操作レバー３２の操作釦３２ａが図２に実線で示したスプール巻取り操作位置から図２に２点鎖線で示したスプールフリー操作位置まで移動されると、操作レバー３２のこのような移動によりクラッチ駆動部材２８もまた図２に実線で示した位置から支持軸１８の周囲を図２において時計回り方向に所定距離回動し、２つの傾斜面２８ａをクラッチ板３６の上方延出部分と下方延出部の夫々の反時計回り方向縁に支持軸１８の回りの時計回り方向に摺接させることにより、上記付勢手段の付勢力に抗してクラッチ板３６を左側の側板１２ｂの外側面から遠ざかる方向に所定距離移動させる。この結果としてクラッチ板３６とともに支持軸１８上を支持軸１８の長手方向中心線に沿い移動する入力歯車２４はその内端部をスプール１０から遠ざけスプール１０との連結を解除させた連結解除位置に配置される。
【００３１】
この実施の形態の魚釣用リールは、釣糸をスプール１０の周面に巻き取る際にスプール１０の回転中心線に沿った方向において上記周面に釣糸を均等に巻き取る為の公知の釣糸均等巻き取り機構を備えており、その駆動の為の入力歯車４０が、図１及び図２に示す如く、左側の側板１２ｂの外側面においてハンドル軸２０の後方に位置している。そして、ハンドル軸２０には、この入力歯車４０に噛み合いこの入力歯車４０にハンドル軸２０からの回転駆動力を伝達する為の補助出力歯車４２もまたハンドル軸２０に対して同心的に固定されている。
【００３２】
上述した公知の釣糸均等巻き取り機構は、入力歯車４０に入力された回転駆動力により１対の側板１２ａ，１２ｂの間においてスプール１０よりも前方に１対の側板１２ａ，１２ｂの間をスプール１０の回転中心線に沿い往復移動する往復移動釣糸案内部材を備えている。
【００３３】
この実施の形態の魚釣用リールはまたさらに、スプールフリー状態にあるクラッチ機構２６をハンドル１９からハンドル軸２０への回転駆動力の入力により巻取り状態へと切り換えるクラッチ復帰機構４４を備えている。
【００３４】
クラッチ復帰機構４４は、図１及び図２に示す如く、左側の側板１２ｂの外側面と覆い１６との間でハンドル軸２０の出力歯車２２よりも内方においてハンドル軸２０または出力歯車２２に同心的に連結されハンドル軸２０または出力歯車２２とともに回転する爪車４６を備えている。
【００３５】
クラッチ復帰機構４４はさらに、図２に示す如く、左側の側板１２ｂの外側面の上部において支持軸１８とハンドル軸２０との間に配置されたクラッチ復帰部材４８を備えている。支持軸１８の側に位置するクラッチ復帰部材４８の前端部には左側の側板１２ｂの外側面の前後方向に細長い細長孔４８ａが形成されていて、細長孔４８ａにはクラッチ機構２６のクラッチ駆動部材２８の上部が回動自在にまた細長孔４８ａの延出方向に相対的に移動自在に連結されている。クラッチ復帰部材４８の下縁は左側の側板１２ｂの外側面に固定されているカムピン５０に上方から載置されていて、ハンドル軸２０の側に位置するクラッチ復帰部材４８の後端部とその後端部より後方の左側の側板１２ｂの外側面上の位置との間にはクラッチ復帰部材４８を左側の側板１２ｂの外側面に沿い後方に向かい付勢する付勢手段５０が介在されている。なおこの実施の形態では、付勢手段５０は引っ張りコイルばねにより構成されている。
【００３６】
クラッチ復帰部材４８の上縁にはクラッチ復帰部材４８の前端部と後端部との間に被係合突起４８ｂが形成されている。
【００３７】
上述した如く構成されているこの発明の第１の実施の形態に従った魚釣用リールが図示しない釣り竿に固定されて使用される間にスプール１０上から釣糸を放出させる場合には、クラッチ機構２６のクラッチ駆動部材２８の操作レバー３２の操作釦３２ａを図２に実線で示したスプール巻取り操作位置から図２に２点鎖線で示したスプールフリー操作位置まで移動させる。
【００３８】
すると、クラッチ駆動部材２８も支持軸１８の周囲を図２における時計回り方向に所定の距離回動し、クラッチ駆動部材２８がこのような回動を所定の距離行うと振り分けばね３４の付勢力が作用する方向がクラッチ駆動部材２８をクラッチ操作位置に向かわせる方向からスプールフリー操作位置に向かわせる方向へと変化し、クラッチ駆動部材２８は振り分けばね３４の付勢力によりスプールフリー操作位置へと自動的に移動される。
【００３９】
この間にクラッチ駆動部材２８は２つの傾斜面２８ａをクラッチ板３６の上方延出部分と下方延出部に摺接させて前述した如くクラッチ板３６を左側の側板１２ｂの外側面から遠ざかる方向に所定距離移動させる。この結果としてクラッチ板３６が支持軸１８上で入力歯車２４をその内端部をスプール１０から遠ざける方向に所定距離移動させた連結解除位置に配置し、スプール１０に対する入力歯車２４の連結が解除される。そして、スプール１０はスプール軸１０ａの回りに自由に回転自在となり、スプール１０上からの釣糸の自由な放出が可能となる。
【００４０】
このようにしてクラッチ機構２６はスプールフリー状態となる。
【００４１】
なおクラッチ機構２６のクラッチ駆動部材２８は操作レバー３２の操作釦３２ａが図２に２点鎖線で示した如く配置されたスプールフリー操作位置に振り分けばね３４の付勢力により保持されるので、釣り竿の使用者は自身の指で操作レバー３２の操作釦３２ａを図２に２点鎖線で示したスプールフリー操作位置に保持しておく必要はない。
【００４２】
またスプール１０が上述した如く自由に回転している間には上述した公知の釣糸均等巻き取り機構は機能しないので、上述した公知の釣糸均等巻き取り機構の往復移動釣糸案内部材はスプール１０から放出される釣糸に大きな抵抗を与えることがなく、スプール１０からの滑らかな釣糸の放出を許容する。
【００４３】
操作レバー３２の操作釦３２ａが図２に２点鎖線で示した如くスプールフリー操作位置に配置されクラッチ機構２６がスプールフリー状態になると、クラッチ復帰機構４４のクラッチ復帰部材４８は前端部をクラッチ駆動部材２８の上部により後方に押圧されるとともに後端部の付勢手段５０の付勢力により後方に向かい引っ張られてカムピン５４上で斜め後下方に向かい移動し、被係合突起４８ｂをハンドル軸２０上の爪車４６の周縁の爪（即ち、ハンドル軸２０の出力歯車２２とともにハンドル軸２０の周囲をハンドル軸２０に対して同心的に回転する係合突起）の回動軌跡内に侵入した係合位置に移動させる。
【００４４】
この後にスプール１０上に釣糸を巻き取る場合には、ハンドル１９をハンドル軸１８の回りに所定の方向（この実施の形態では、図２において矢印Ｗで示す反時計回り方向）に回動させハンドル１９から回転駆動力をハンドル軸１８に入力させる。すると、ハンドル軸１８とともに図２において矢印Ｗで示す反時計回り方向に回転する爪車４６の周縁の爪がこれに係合しているクラッチ復帰機構４４のクラッチ復帰部材４８の被係合突起４８ｂを押圧し、クラッチ復帰部材４８を付勢手段５０の付勢力に抗して前方に向かいカムピン５４上で斜め前上方に向かい移動させる。この間にクラッチ復帰部材４８はその前端部でクラッチ駆動部材２８の上部を前方に押圧し、クラッチ駆動部材２８を操作レバー３２の操作釦３２ａが図２に２点鎖線で示した如く配置されたスプールフリー操作位置から図２に実線で示した如く配置されたクラッチ操作位置へと向かい支持軸１８の回りに図２において反時計回り方向に回動させる。
【００４５】
クラッチ駆動部材２８がこのような回動を所定の距離行うと、振り分けばね３４の付勢力が作用する方向がクラッチ駆動部材２８をスプールフリー操作位置に向かわせる方向からクラッチ操作位置に向かわせる方向へと変化し、クラッチ駆動部材２８は振り分けばね３４の付勢力によりクラッチ操作位置に自動的に復帰される。
【００４６】
この間にクラッチ駆動部材２８は、クラッチ復帰部材４８を付勢手段５０の付勢力に抗して図２に示す如くクラッチ復帰部材４８の被係合突起４８ｂをハンドル軸２０上の爪車４６の周縁の爪（即ち、上述した如き係合突起）の回動軌跡内から上方に離脱させた非係合位置に復帰させるとともに、２つの傾斜面２８ａをクラッチ板３６の上方延出部分と下方延出部から図２に示す如く遠ざけて前述した如くクラッチ板３６を前述した図示しない付勢手段の付勢力により左側の側板１２ａの外側面に接近させる方向に所定距離移動させる。この結果としてクラッチ板３６が支持軸１８上で入力歯車２４をその内端部をスプール１０に接近させて連結させた連結位置に配置し、スプール１０に対する入力歯車２４の連結が回復される。そして、スプール１０にはハンドル１９からハンドル軸１８に入力された回転駆動力がハンドル軸１８から出力歯車２２及び入力歯車２４を介して伝達され、スプール１０は釣糸をその周面上に巻き取ることが出来る。またこの間には、ハンドル軸１８の補助出力歯車４２から上述した公知の釣糸均等巻き取り機構の入力歯車４０へと回転駆動力が伝達されるので、上述した公知の釣糸均等巻き取り機構は往復移動釣糸案内部材をスプール１０よりも前方において１対の側板１２ａ，１２ｂの間をスプール１０の回転中心線に沿い往復移動させることにより、スプール１０の周面上に釣糸をスプール１０の回転中心線に沿った方向において均等に巻き取らせる。
【００４７】
次には図３の（Ａ）を参照しながらこの発明の第２の実施の形態に従った魚釣り用リールについて詳細に説明する。
【００４８】
なお図３の（Ａ）は、この発明の第２の実施の形態に従った魚釣用リールの左側板の外側面に配置されたクラッチ機構及びクラッチ復帰機構を含む種々の構成部材を左側板の外側面の覆いを取り除いて示す左側面図である。そして、この第２の実施の形態に従った魚釣用リールにおいて、図１及び図２を参照しながら前述したこの発明の第１の実施の形態に従った魚釣用リールの種々の構成部材と同じかまたは同種の構成部材には、前述したこの発明の第１の実施の形態に従った魚釣用リールの種々の構成部材を指摘した参照符号と同じ参照符号を付して詳細な説明は省略する。
【００４９】
第２の実施の形態が前述の第１の実施の形態と異なっているのは、左側の側板１２ｂにおける支持軸１８に対するハンドル軸２０及び公知の釣糸均等巻き取り機構の為の入力歯車４０の配置と、クラッチ復帰機構５０の構成である。
【００５０】
より詳細に説明すると、前述の第１の実施の形態では図２に示す如く左側の側板１２ｂにおいて支持軸１８に対してハンドル軸２０及び公知の釣糸均等巻き取り機構の為の入力歯車４０が釣糸の導出方向Ｓとは反対の方向である後方に配置されていたが、図３の（Ａ）に示された第２の実施の形態では左側の側板１２ｂにおいて支持軸１８に対してハンドル軸２０及び公知の釣糸均等巻き取り機構の為の入力歯車４０が釣糸の導出方向Ｓである前方に配置されている。
【００５１】
そして図３の（Ａ）でも、図２と同様に、クラッチ機構２６に巻取り状態が設定されている時のクラッチ機構２６のクラッチ駆動部材２８の操作レバー３２の操作釦３２ａのスプール巻取り操作位置が実線で示されているとともに、クラッチ機構２６にスプールフリー状態が設定されている時のクラッチ機構２６のクラッチ駆動部材２８の操作レバー３２の操作釦３２ａのスプールフリー操作位置が２点鎖線で示されている。図３の（Ａ）から明らかなように、第２の実施の形態におけるクラッチ機構２６のクラッチ駆動部材２８の操作レバー３２の操作釦３２ａのスプール巻取り操作位置及びスプールフリー操作位置は、図２に示された第１の実施の形態におけるクラッチ機構２６のクラッチ駆動部材２８の操作レバー３２の操作釦３２ａのスプール巻取り操作位置及びスプールフリー操作位置に対して、釣糸の導出方向Ｓとその逆の方向である前後方向において逆転している。
【００５２】
そして図３の（Ａ）に示された第２の実施の形態においても、クラッチ機構２６の操作部材である操作レバー３２は、左側の側板１２ｂの外側面の上部で支持軸１８とハンドル軸２０との間に配置されていることは重要である。
【００５３】
第２の実施の形態のクラッチ復帰機構５０は、図３の（Ａ）に示す如く、ハンドル軸２０の出力歯車２２とともにハンドル軸２０の周囲をハンドル軸２０に対して同心的に回転する係合突起５２を備えている。なおこの実施の形態において、係合突起５２は出力歯車２２において左側の側板１２ｂの外側面に対向している内側面に対して出力歯車２２に対する同心円上に固定されている。
【００５４】
第２の実施の形態のクラッチ復帰機構５０はさらに、クラッチ機構２６のクラッチ駆動部材２８の上部から斜前上方に向かい突出したクラッチ復帰部材としての被係合突起２８ｂを備えている。
【００５５】
そしてクラッチ機構２６のクラッチ駆動部材２８の操作レバー３２の操作釦３２ａが図３の（Ａ）において実線で示されている位置に配置されていて、この結果としてクラッチ駆動部材２８がスプール巻取り操作位置に配置されクラッチ機構２６に巻取り状態が設定されている時には、クラッチ復帰機構５０のクラッチ復帰部材としての被係合突起２８ｂもまた図３の（Ａ）において実線で示す如く出力歯車２２の係合突起５２の回動（移動）軌跡内から離脱した非係合位置に配置されている。
【００５６】
また図３の（Ａ）に示された第２の実施の形態においても、クラッチ復帰機構５０の主要部分が、左側の側板１２ｂの外側面の上部で支持軸１８とハンドル軸２０との間に配置されていることは重要である。
【００５７】
上述した如く構成されているこの発明の第２の実施の形態に従った魚釣用リールが図示しない釣り竿に固定されて使用される間にスプール１０上から釣糸を放出させる場合のクラッチ機構２６の動作は、前述したこの発明の第１の実施の形態に従った魚釣用リールが図示しない釣り竿に固定されて使用される間にスプール１０上から釣糸を放出させる場合のクラッチ機構２６の動作と同じである。
【００５８】
即ち、クラッチ機構２６のクラッチ駆動部材２８の操作レバー３２の操作釦３２ａが図３の（Ａ）において２点鎖線で示されている位置に配置されると、この結果としてクラッチ駆動部材２８がスプールフリー操作位置に配置されクラッチ機構２６にスプールフリー状態が設定される。
【００５９】
なお操作レバー３２の操作釦３２ａが図３の（Ａ）に２点鎖線で示した如くスプールフリー操作位置に配置されクラッチ機構２６がスプールフリー状態になると、クラッチ復帰機構５０のクラッチ復帰部材としての被係合突起２８ｂは図３の（Ａ）において２点鎖線で示す如く出力歯車２２の係合突起５２の回動（移動）軌跡内に侵入した係合位置に配置される。
【００６０】
操作レバー３２の操作釦３２ａが図３の（Ａ）に２点鎖線で示した如くスプールフリー操作位置に配置されクラッチ機構２６がスプールフリー状態になりスプール１０上から釣糸を放出させた後にスプール１０上に釣糸を巻き取る場合には、図２に示されていたハンドル１９をハンドル軸１８の回りに所定の方向（この実施の形態では、図３の（Ａ）において矢印Ｗで示す反時計回り方向）に回動させハンドル１９から回転駆動力をハンドル軸１８に入力させる。すると、ハンドル軸１８とともに図３の（Ａ）において矢印Ｗで示す反時計回り方向に回転する係合突起５２がこれに係合しているクラッチ復帰機構５０の被係合突起２８ｂを押圧し、クラッチ駆動部材２８を振り分けばね３４の付勢力に抗して図３の（Ａ）において時計回り方向に回転させる。
【００６１】
クラッチ駆動部材２８がこのような回動を所定の距離行うと、振り分けばね３４の付勢力が作用する方向がクラッチ駆動部材２８をスプールフリー操作位置に向かわせる方向からクラッチ操作位置に向かわせる方向へと変化し、クラッチ駆動部材２８は振り分けばね３４の付勢力によりクラッチ操作位置に自動的に復帰される。そして、被係合突起２８ｂもまたハンドル軸２０の出力歯車２２の係合突起５２の回動（移動）軌跡内から上方に離脱させた非係合位置に復帰される。この結果としてクラッチ板３６が支持軸１８上で入力歯車２４をその内端部をスプール１０に接近させて連結させた連結位置に配置し、スプール１０に対する入力歯車２４の連結が回復される。そして、スプール１０にはハンドル１９からハンドル軸１８に入力された回転駆動力がハンドル軸１８から出力歯車２２及び入力歯車２４を介して伝達され、スプール１０は釣糸をその周面上に巻き取ることが出来る。またこの間には、ハンドル軸１８の補助出力歯車４２から上述した公知の釣糸均等巻き取り機構の入力歯車４０へと回転駆動力が伝達されるので、上述した公知の釣糸均等巻き取り機構は往復移動釣糸案内部材をスプール１０よりも前方において１対の側板１２ａ，１２ｂの間をスプール１０の回転中心線に沿い往復移動させることにより、スプール１０の周面上に釣糸をスプール１０の回転中心線に沿った方向において均等に巻き取らせる。
【００６２】
次には図３の（Ｂ）を参照しながらこの発明の第３の実施の形態に従った魚釣り用リールについて詳細に説明する。
【００６３】
なお図３の（Ｂ）は、この発明の第３の実施の形態に従った魚釣用リールの右側板の外側面に配置されたクラッチ機構及びクラッチ復帰機構を含む種々の構成部材を右側板の外側面の覆いを取り除いて示す右側面図である。そして、この第３の実施の形態に従った魚釣用リールにおいて、図１及び図２を参照しながら前述したこの発明の第１の実施の形態に従った魚釣用リールの種々の構成部材や図３の（Ａ）を参照しながら前述したこの発明の第２の実施の形態に従った魚釣用リールの種々の構成部材と同じかまたは同種の構成部材には、前述したこの発明の第１の実施の形態に従った魚釣用リールの種々の構成部材や前述したこの発明の第２の実施の形態に従った魚釣用リールの種々の構成部材を指摘した参照符号と同じ参照符号を付して詳細な説明は省略する。
【００６４】
第３の実施の形態はリール本体の左右１対の側板の形状が前述の第１の実施の形態や第２の実施の形態の夫々におけるリール本体の左右１対の側板の形状と異なっている。第３の実施の形態のリール本体の左右１対の側板（図３の（Ｂ）では右側の側板１２ａ´のみが示されている）の夫々の外形状は円に近く、外形状を出来る限り小さくすることにより、第３の実施の形態の魚釣用リールと組み合わされた釣竿を操作する際に第３の実施の形態の魚釣用リールが生じさせる慣性力を小さくして釣竿の操作性を良くする。
【００６５】
第３の実施の形態ではさらに、前述したこの発明の第２の実施の形態の場合と同様に、右側の側板１２ａ´において支持軸１８に対してハンドル軸２０及び公知の釣糸均等巻き取り機構の為の入力歯車４０が釣糸の導出方向Ｓである前方に配置されている。そして第３の実施の形態はクラッチ復帰機構として第２の実施の形態のクラッチ復帰機構５０を採用している。そしてハンドル軸２０に対して右側の側板１２ａ´の為の図示しない覆いの外側で図示しないハンドルが連結されている。
【００６６】
そして図３の（Ｂ）に示された第３の実施の形態においても、クラッチ機構２６の操作部材である操作レバー３２は、右側の側板１２ａ´の外側面の上部で支持軸１８とハンドル軸２０との間に配置されていることは重要である。
【００６７】
そしてクラッチ機構２６のクラッチ駆動部材２８の操作レバー３２の操作釦３２ａが図３の（Ｂ）において実線で示されている位置に配置されていて、この結果としてクラッチ駆動部材２８がスプール巻取り操作位置に配置されクラッチ機構２６に巻取り状態が設定されている時には、クラッチ復帰機構５０のクラッチ復帰部材としての被係合突起２８ｂもまた図３の（Ｂ）において実線で示す如く出力歯車２２の係合突起５２の回動（移動）軌跡内から離脱した非係合位置に配置されている。
【００６８】
また図３の（Ｂ）に示された第３の実施の形態においても、クラッチ復帰機構５０の主要部分が、右側の側板１２ａ´の外側面の上部で支持軸１８とハンドル軸２０との間に配置されていることは重要である。
【００６９】
上述した如く構成されているこの発明の第３の実施の形態に従った魚釣用リールが図示しない釣り竿に固定されて使用される間にスプール１０上から釣糸を放出させる場合のクラッチ機構２６の動作は、前述したこの発明の第１の実施の形態に従った魚釣用リールが図示しない釣り竿に固定されて使用される間にスプール１０上から釣糸を放出させる場合のクラッチ機構２６の動作と同じである。
【００７０】
即ち、クラッチ機構２６のクラッチ駆動部材２８の操作レバー３２の操作釦３２ａが図３の（Ｂ）において２点鎖線で示されている位置に配置されると、この結果としてクラッチ駆動部材２８がスプールフリー操作位置に配置されクラッチ機構２６にスプールフリー状態が設定される。
【００７１】
なお操作レバー３２の操作釦３２ａが図３の（Ｂ）に２点鎖線で示した如くスプールフリー操作位置に配置されクラッチ機構２６がスプールフリー状態になると、クラッチ復帰機構５０のクラッチ復帰部材としての被係合突起２８ｂは図３の（Ｂ）において２点鎖線で示す如く出力歯車２２の係合突起５２の回動（移動）軌跡内に侵入した係合位置に配置される。
【００７２】
操作レバー３２の操作釦３２ａが図３の（Ｂ）に２点鎖線で示した如くスプールフリー操作位置に配置されクラッチ機構２６がスプールフリー状態になりスプール１０上から釣糸を放出させた後にスプール１０上に釣糸を巻き取る場合には、上述した図示しない右側のハンドルをハンドル軸１８の回りに所定の方向（この実施の形態では、図３の（Ｂ）において矢印Ｒで示す時計回り方向）に回動させハンドルから回転駆動力をハンドル軸１８に入力させる。すると、ハンドル軸１８とともに図３の（Ｂ）において矢印Ｒで示す時計回り方向に回転する係合突起５２がこれに係合しているクラッチ復帰機構５０の被係合突起２８ｂを押圧し、クラッチ駆動部材２８を振り分けばね３４の付勢力に抗して図３の（Ｂ）において反時計回り方向に回転させる。
【００７３】
クラッチ駆動部材２８がこのような回動を所定の距離行うと、振り分けばね３４の付勢力が作用する方向がクラッチ駆動部材２８をスプールフリー操作位置に向かわせる方向からクラッチ操作位置に向かわせる方向へと変化し、クラッチ駆動部材２８は振り分けばね３４の付勢力によりクラッチ操作位置に自動的に復帰される。そして、被係合突起２８ｂもまたハンドル軸２０の出力歯車２２の係合突起５２の回動（移動）軌跡内から上方に離脱させた非係合位置に復帰される。この結果としてクラッチ板３６が支持軸１８上で入力歯車２４をその内端部をスプール１０に接近させて連結させた連結位置に配置し、スプール１０に対する入力歯車２４の連結が回復される。そして、スプール１０にはハンドル１８からハンドル軸１８に入力された回転駆動力がハンドル軸１８から出力歯車２２及び入力歯車２４を介して伝達され、スプール１０は釣糸をその周面上に巻き取ることが出来る。またこの間には、ハンドル軸１８の補助出力歯車４２から上述した公知の釣糸均等巻き取り機構の入力歯車４０へと回転駆動力が伝達されるので、上述した公知の釣糸均等巻き取り機構は往復移動釣糸案内部材をスプール１０よりも前方において１対の側板１２ａ，１２ｂの間をスプール１０の回転中心線に沿い往復移動させることにより、スプール１０の周面上に釣糸をスプール１０の回転中心線に沿った方向において均等に巻き取らせる。
【００７４】
【発明の効果】
以上詳述した如くこの発明に従った魚釣用リールによれば、リール本体からの釣糸の導出方向に沿った前後方向におけるリール本体の外形寸法を上述した従来の魚釣用リールに比べ小さくすることが出来、この為にこの発明の魚釣用リールを取り付けた釣竿を操作する際にこの発明の魚釣用リールが生じさせる慣性力を上述した従来の魚釣用リールを取り付けた釣竿を操作する際に従来の魚釣用リールが生じさせる慣性力に比べ小さくすることが出来て、この発明の魚釣用リールを取り付けた釣竿の操作性を上述した従来の魚釣用リールを取り付けた釣竿に比べ良くすることが出来る。
【図面の簡単な説明】
【図１】この発明の第１の実施の形態に従った魚釣用リールを一部を切り欠いて示す平面図である。
【図２】図１の魚釣用リールの左側板の外側面に配置されたクラッチ機構及びクラッチ復帰機構を含む種々の構成部材を左側板の外側面の覆いを取り除いて示す左側面図である。
【図３】（Ａ）は、この発明の第２の実施の形態に従った魚釣用リールの左側板の外側面に配置されたクラッチ機構及びクラッチ復帰機構を含む種々の構成部材を左側板の外側面の覆いを取り除いて示す左側面図であり、
（Ｂ）は、この発明の第３の実施の形態に従った魚釣用リールの右側板の外側面に配置されたクラッチ機構及びクラッチ復帰機構を含む種々の構成部材を右側板の外側面の覆いを取り除いて示す右側面図である。
【符号の説明】
１０  スプール
１２ａ，１２ａ´，１２ｂ  側板
１４  リール本体
１８  支持軸
１９  ハンドル
２２  出力歯車
２４  入力歯車
２６  クラッチ機構
２８  クラッチ駆動部材
２８ｂ  被係合突起（クラッチ駆動部材）
３２  操作レバー（操作部材）
３６  クラッチ板
４４  クラッチ復帰機構
４６  爪車（係合突起）
４８  クラッチ駆動部材
５０  クラッチ復帰機構
５２  係合突起
【図１】
0003610171.tif 000002
【図２】
0003610171.tif 000003
【図３】
0003610171.tif 000004